(57)【要約】【課題】  本発明はスプールを停止保持ができる、低回転、高トルクで回転させることができる減速機構が不要で、構造が簡単で、小型化を図ることができる安価な電動リールを得るにある。【解決手段】  釣糸を巻き取るスプールが回転可能に取付けられたスプールケースと、このスプールケースに取付けられたスプールを少なくともクラッチ機構を備えた動力伝達機構を介して駆動させる超音波モーターとで電動リールを構成している。【選択図】  図３
2009273431.tif 000002
【特許請求の範囲】
【請求項１】
釣糸を巻き取るスプールが回転可能に取付けられたスプールケースと、このスプールケースに取付けられたスプールを少なくともクラッチ機構を備えた動力伝達機構を介して駆動させる超音波モーターとからなる電動リール。
【請求項２】
スプールにはドラック゛機構が設けられ、超音波モーターのロータにクラッチ機構を介して取り付けられていることを特徴とする請求項１記載の電動リール。
【請求項３】
スプールの軸心は、釣竿の軸心方向と同方向に配置されるとともに、スプールが超音波モーターのロータにクラッチ機構を介して取付けられていることを特徴とする請求項１記載の電動リール。
【発明の詳細な説明】
【技術分野】
【０００１】
本発明は釣糸をモーターで巻き上げる電動リールに関する。
【背景技術】
【０００２】
従来の電動リールはスプールの中心部にモーターを配置させて、スプールの一方の側面に配置した減速機構を介してモーターの回転をスプールに伝えたり、スプールの外側に配置したモーターの回転をスプールの一方の側面に設けた減速機構を介してスプールに伝える構造になっている。
すなわち、釣糸を巻き上げるスプールの回転には低回転で高トルクが要求されるため、複雑な減速機構が必要であるため、構造が複雑で、コスト高になるという欠点があった。
【特許文献１】特開平１１−５６１８１
【発明の開示】
【発明が解決しようとする課題】
【０００３】
本発明は以上のような従来の欠点に鑑み、スプールを停止保持ができる、低回転、高トルクで回転させることができる減速機構が不要で、構造が簡単で、小型化を図ることができる安価な電動リールを提供することを目的としている。
【０００４】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００５】
上記目的を達成するために、本発明は釣糸を巻き取るスプールが回転可能に取付けられたスプールケースと、このスプールケースに取付けられたスプールを少なくともクラッチ機構を備えた動力伝達機構を介して駆動させる超音波モーターとで電動リールを構成している。
【発明の効果】
【０００６】
以上の説明から明らかなように、本発明にあっては次に列挙する効果が得られる。
【０００７】
（１）釣糸を巻き取るスプールが回転可能に取付けられたスプールケースと、このスプールケースに取付けられたスプールを少なくともクラッチ機構を備えた動力伝達機構を介して駆動させる超音波モーターとで構成されているので、超音波モーターで直接クラッチ機構を介してスプールを回転させることができる。
したがって、構造が簡単で小型化が図れ、低コストで製造することができる。
【０００８】
（２）前記（１）によって、スプールを低回転、高トルクで停止保持ができる状態で駆動させることができる。
【０００９】
（３）前記（１）によって、超音波モーターは中空にできるので、釣竿が超音波モーターの中央部を貫通する状態にでも取付けることができ、釣竿への取付け状態の多様化を図ることができる。
【００１０】
（４）請求項２も前記（１）〜（３）と同様な効果が得られるとともに、より小型、構造が簡単で、コストの低減を図ることができる。
【００１１】
（５）請求項３も前記（１）〜（４）と同様な効果が得られる。
【発明を実施するための最良の形態】
【００１２】
以下、図面に示す本発明を実施するための最良の形態により、本発明を詳細に説明する。
【００１３】
図１ないし図５に示す本発明を実施するための最良の第１の形態において、１は釣竿本体２の後端部が着脱可能に先端部に取付けられる本発明の電動リールで、この電動リール１は支持軸３と、この支持軸３の先端部より同芯で、小径で突出形成されたカバー板支持軸４と、このカバー板支持軸４の先端部より同芯で、小径で突出形成されたスプール支持軸５と、前記カバー板支持軸４の先端部を除く部位を覆うように固定されたコントローラー６や液晶表示画面７およびメニュースイッチ８や０セットスイッチ９が設けられた、先端部が開口の円筒状のカバーケース１０と、このカバーケース１０の先端部で、前記カバー板支持軸４の先端部に固定されたカバー板１１と、このカバー板１１に取付けられた超音波モーター１２と、前記スプール支持軸５にローラーベアリング１３、１３を介して回転可能に取付けられたスプール１４と、このスプール１４と前記超音波モーター１２の回転部材との間に介そうされた一般に使用されているクラッチ機構Ｋおよびドラッグ機構Ｄと、前記スプール１４の上部を除く部位を覆う、前記カバーケース１０に固定されたカバー体１５と、このカバー体１５の先端部に固定された支持板１６と、この支持板１６が後端部に固定され、先端部に着脱可能に前記釣竿本体２が取付けられる取付部１７が形成された釣竿本体支持具１８と、前記スプール１４の前記釣竿本体支持具１８側に固定された歯車１９と、この歯車１９と噛み合う小歯車２０が固定された一端部が、前記カバー板１１に回転可能に支持され、他端部が前記支持板１６に回転可能に支持された釣糸２１を均一に前記スプール１４へ導くガイドローラ２２と、前記釣竿本体支持具１８に回転可能に取付けられた釣糸ガイドアーム２３とで構成されている。
【００１４】
前記超音波モーター１２は前記カバー板１１に固定された圧電セラミックス２４と弾性体２５とからなるステータ２６と、このステータ２６の弾性体２５に所定の圧力を加えるバネ板２７で押し圧されるスライダー２８と当接リング２９とからなるロータ３０とで構成された既存のものが使用されている。
【００１５】
上記構成の電動リール１はスプール１４に巻き取られた釣糸２１をガイドローラ２２、釣糸ガイドアーム２３の先端部の釣糸通過孔３１を介して、釣竿本体２の複数個の釣糸ガイドリング３２を通過して先端部へ導かれ、該釣糸２１の先端部に重り３３や釣針３４が取付けられて使用される。
【００１６】
なお、釣糸２１の引き出しはカバーケース１０の０セットスイッチ９の操作で超音波モーター１２を逆回転させ、スプール１４の逆回転で、釣糸２１を重り３３の重力によって、海中あるいは水中の任意の位置へ繰出したり、あるいは、クラッチ機構Ｋを開放し、重り３３の重力によって、海中あるいは水中の任意の位置へ繰出し、釣りを行なう。
釣糸２１を巻き上げる場合、クラッチ機構Ｋを接続し、カバーケース１０の０セットスイッチ９の操作で超音波モーター１２を正回転させ、スプール１４の正回転で釣糸２１を、ガイドローラ２２を介して巻き取ることができる。
なお、超音波モーター１２は小型で、構造が簡単で、低回転、高トルクで停止保持が図れるため、超音波モーター１２のロータ３０に直接スプール１４を取付けて、スプール１４を正・逆回転させ、釣糸２１のスプール１４への巻き取りや巻き戻しを行なうことができる。
また、釣糸２１に大きな過重がかかると、ドラッグ機構Ｄによりスプール１４を逆回転し、釣糸２１を自動的に引き出される。
[発明を実施するための異なる形態]
【００１７】
次に、図６ないし図１７に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００１８】
図６ないし図８に示す本発明を実施するための第２の形態において、前記本発明を実施するための最良の第１の形態と主に異なる点は、釣竿本体２の軸心方向とスプール１４の軸心とが同方向で、脚部材３５で釣竿本体２が取付けられ、かつスプール１４を超音波モーター１２のロータ３０で正・逆回転できるようにした点で、このように構成した電動リール１Ａにしても、前記本発明を実施するための最良の第１の形態と同様な作用効果が得られる。
【００１９】
図９ないし図１１に示す本発明を実施するための第３の形態において、前記本発明を実施するための第２の形態と主に異なる点は、スプール１４の軸心方向と直角方向に超音波モーター１２の軸心が位置するようにカバーケース１０Ａに取付けるとともに、超音波モーター１２のロータ３０の回転方向を変換する変換機構３６を介してスプール１４に伝えるようにした点で、このように構成された電動リール１Ｂにしても、前記本発明を実施するための第２の形態と同様な作用効果が得られる。
【００２０】
図１２および図１３に示す本発明を実施するための第４の形態において、前記本発明を実施するための最良の第１の形態と主に異なる点は、釣竿本体２の軸心方向に対して、直角方向にスプール１４の軸心が位置するようにカバーケース１０Ｂに釣竿本体取付座３７が形成されるとともに、ハンドル３８、減速機構を備えない動力伝達機構としての駆動機構３９およびクラッチ機構４０を介してスプール１４を回転できるとともに、反ハンドル３８側に設けた超音波モーター１２でもスプール１４を正・逆回転できるようにした点で、このように構成した電動リール１Ｃにしても、前記本発明を実施するための最良の第１の形態と同様な作用効果が得られる。
【００２１】
図１４および図１５に示す本発明を実施するための第５の形態において、前記本発明を実施するための第４の形態と主に異なる点は、超音波モーター１２のロータ３０をハンドル３８側のスプール１４の外側端部に固定した点で、このように超音波モーター１２を配置した電動リール１Ｄにしても、前記本発明を実施するための第４の形態と同様な作用効果が得られる。
【００２２】
図１６および図１７に示す本発明を実施するための第６の形態において、前記本発明を実施するための第４の形態と主に異なる点は、ハンドル３８と駆動装置３９との間に超音波モーター１２を介装した点で、このように構成した電動リール１Ｅにしても、前記本発明を実施するための第４の形態と同様な作用効果が得られる。
【００２３】
なお、前述した本発明の電動リール１、１Ａ、１Ｂにハンドルを設けて、ハンドル操作によって釣糸２１をスプール１４に巻き取られるようにしてもよい。
【産業上の利用可能性】
【００２４】
本発明は電動リールを製造する産業で利用される。
【図面の簡単な説明】
【００２５】
【図１】本発明を実施するための最良の第１の形態の平面図。
【図２】本発明を実施するための最良の第１の形態の側面図。
【図３】図１の３−３線に沿う断面図。
【図４】本発明を実施するための最良の第１の形態の要部分解図。
【図５】本発明を実施するための最良の第１の形態の超音波モーターの断面図。
【図６】本発明を実施するための第２の形態の側面図。
【図７】本発明を実施するための第２の形態の底面図。
【図８】図６の８−８線に沿う断面図。
【図９】本発明を実施するための第３の形態の側面図。
【図１０】本発明を実施するための第３の形態の底面図。
【図１１】図９の１１−１１線に沿う断面図。
【図１２】本発明を実施するための第４の形態の平面図。
【図１３】図１２の１３−１３線に沿う断面図。
【図１４】本発明を実施するための第５の形態の平面図。
【図１５】図１４の１５−１５線に沿う断面図。
【図１６】本発明を実施するための第６の形態の平面図。
【図１７】図１６の１７−１７線に沿う断面図。
【符号の説明】
【００２６】
１、１Ａ、１Ｂ、１Ｃ、１Ｄ、１Ｅ：電動リール、
２：釣竿本体、                ３：支持軸、
４：カバー板支持軸、          ５：スプール支持軸、        
６：コントローラー、          ７：液晶表示画面、
８：メニュースイッチ、        ９：０セットスイッチ、
１０、１０Ａ、１０Ｂ：カバーケース、
１１：カバー板、              １２：超音波モーター、
１３：ローラーベアリング、    １４：スプール、
Ｋ：クラッチ機構、            Ｄ：ドラッグ機構、
１５：カバー体、              １６：支持板、
１７：取付部、                １８：釣竿本体支持具、
１９：歯車、                  ２０：小歯車、
２１：釣糸、                  ２２：ガイドローラ、
２３：釣糸ガイドアーム、      ２４：圧電セラミックス、
２５：弾性体、                ２６：ステータ、
２７：バネ板、                ２８：スライダー、
２９：当接リング、            ３０：ロータ、
３１：釣糸通過孔、            ３２：釣糸ガイドリング、
３３：重り、                  ３４：釣針、
３５：脚部材、                ３６：変換機構、
３７：釣竿本体取付座、        ３８：ハンドル、
３９：駆動装置、              ４０：クラッチ機構。
【図１】
2009273431.tif 000003
【図２】
2009273431.tif 000004
【図３】
2009273431.tif 000005
【図４】
2009273431.tif 000006
【図５】
2009273431.tif 000007
【図６】
2009273431.tif 000008
【図７】
2009273431.tif 000009
【図８】
2009273431.tif 000010
【図９】
2009273431.tif 000011
【図１０】
2009273431.tif 000012
【図１１】
2009273431.tif 000013
【図１２】
2009273431.tif 000014
【図１３】
2009273431.tif 000015
【図１４】
2009273431.tif 000016
【図１５】
2009273431.tif 000017
【図１６】
2009273431.tif 000018
【図１７】
2009273431.tif 000019